(57)【要約】      （修正有）【課題】多様な警告照明効果に対応することができる警告灯用光学部材を提供する。【解決手段】光基準面を有する警告灯用光学部材であって、警告灯用光学部材の総体を光基準面に沿って二分してなる、互いに独立する２つの光学半部材１０Ａ，１０Ｂを有し、２つの光学半部材は、それぞれ１つのベース１１を有し、各ベースの片側に、光基準面に相応する貼合面１１２が形成され、貼合面近傍の光基準面に沿った一端に光入射部１２が形成され、光入射部に対向して他端に光出射部１３が形成され、２つの光学半部材の、それぞれの貼合面を互いに貼り合わせて組み合わせることにより、警告灯用光学部材が構成される。【選択図】図１
0003188558.tif 000002
【実用新案登録請求の範囲】
【請求項１】
光基準面を有する警告灯用光学部材であって、
前記警告灯用光学部材の総体を前記光基準面に沿って二分してなる、互いに独立する２つの光学半部材を有し、
前記２つの光学半部材は、それぞれ１つのベースを有し、
各前記ベースの片側に、前記光基準面に相応する貼合面が形成され、
各前記ベースの貼合面の近傍における前記光基準面に沿った一端に光入射部が形成され、該ベースにおける光入射部に対向の他端に光出射部が形成され、
前記２つの光学半部材が、それぞれの貼合面が互いに貼り合わせられるように組み合わせられることにより、前記警告灯用光学部材が構成されることを特徴とする警告灯用光学部材。
【請求項２】
前記２つの光学半部材における片方の光学半部材におけるベースに、第１接合部が形成され、
前記２つの光学半部材におけるもう一方の光学半部材におけるベースに、前記第１接合部に対応する第２接合部が形成され、
前記第１接合部及び第２接合部は、互いに対応する凹入状及び凸出状を呈することを特徴とする請求項１に記載の警告灯用光学部材。
【請求項３】
各前記光学半部材におけるベースは、１つの直線に沿って連続的に配置される複数の半部材ユニットを有し、
各前記半部材ユニットは、前記光入射部から前記光出射部へ行くほど大径となる半円錐体に形成されると共に、小径端部と、大径端部とを有し、
前記光入射部における前記半部材ユニットの小径端部に対応する箇所に、半円形の光入射凹入部が形成され、
互いに隣接する２つの半部材ユニットは、それぞれの大径端部で互いに結合され、
前記光出射部における前記半部材ユニットの大径端部に対応する箇所に、光出射面が形成されることを特徴とする請求項１または請求項２に記載の警告灯用光学部材。
【請求項４】
前記２つの光学半部材は、共に光入射方向へ湾曲する弧形を呈することを特徴とする請求項１または請求項２に記載の警告灯用光学部材。
【請求項５】
前記２つの光学半部材は、共に光出射方向へ湾曲する弧形を呈することを特徴とする請求項１または請求項２に記載の警告灯用光学部材。
【請求項６】
前記２つの光学半部材は、光入射部及び光出射部が対応的に起伏するように配置されるウェーブ状を呈することを特徴とする請求項１または請求項２に記載の警告灯用光学部材。
【請求項７】
前記２つの光学半部材のベースの複数の光出射部は、連続的に配置されると共に、弧形に凸出する形状を呈することを特徴とする請求項６に記載の警告灯用光学部材。
【請求項８】
前記２つの光学半部材のベースは、共に環状を呈し、
前記光出射部は、該環状のベースの外側に配置され、
前記光入射部は、該環状のベースの内側に連続的に配置されると共に、弧形に凸出する形状を呈することを特徴とする請求項１または請求項２に記載の警告灯用光学部材。
【請求項９】
前記ベースは、外側環状プレート部と、前記外側環状プレート部の内側に形成される斜面環状プレート部とを有し、
前記斜面環状プレート部における前記貼合面の対向側に円錐環状面が形成され、
前記斜面環状プレート部における内側に小径縁部が形成され、
前記斜面環状プレート部における前記外側環状プレート部に隣接する外側に大径縁部が形成され、
前記外側環状プレート部が光出射部とされると共に、前記斜面環状プレート部の小径縁部が光入射部とされ、
前記ベースの光出射部における前記貼合面に隣接する箇所に環状半凸縁部が形成されることを特徴とする請求項８に記載の警告灯用光学部材。
【請求項１０】
前記２つの光学半部材は、そのベースの外側環状プレート部における前記貼合面の対向端側に形成される複数の側面結合柱及び複数の側面結合穴を有することを特徴とする請求項９に記載の警告灯用光学部材。
【考案の詳細な説明】
【技術分野】
【０００１】
本考案は、特に警告灯用光学部材に関するものである。
【背景技術】
【０００２】
伝統的な発光源とされてきた電球と比較すれば、発光ダイオードは、小型化、省エネルギー化などの利点を有すると共に、使用寿命が向上されるものであることから、漸次に電球に取って代わりつつある主な発光源として、各種類の照明装置、または警告灯に広く適用されている。
【０００３】
従来の発光ダイオード式警告灯の構成から見ると、従来の発光ダイオード式警告灯は、発光ダイオードモジュールと、光学レンズ部材とを有するものである。前記光学レンズ部材は、前記発光ダイオードモジュールにおける発光ダイオードの数に対応する複数のレンズユニットを有する一体化した部材である。前記複数のレンズユニットは、各レンズユニットの光入射端が前記発光ダイオードモジュールの発光ダイオードにそれぞれ対応するように、直線状に配置される。
【考案の概要】
【考案が解決しようとする課題】
【０００４】
従来の発光ダイオード式警告灯の構成は、一般の警告器具とする利用に供することができる。しかしながら、従来の発光ダイオード式警告灯の光学レンズ部材が複数のレンズユニットを一体化したものである上、成形技術の制限により、該光学レンズ部材における各レンズユニットは、１２０度の角度を成す円錐体となってしまうので、多様な照明効果に対応するために、該光学レンズ部材の形状を大幅に変化させることができなかった。これにより、従来の発光ダイオード式警告灯商品は、直線状配列された片側発光形態しか提供することができない。弧形、ウェーブ状、環形などの幾何学的な形状の警告照明形態を提供し得ないものであることから、多様な警告照明効果に対応することができない。
【０００５】
そこで、案出されたのが本考案であって、弧形、ウェーブ状、環形などの幾何学的な形状が不可能だった直線状配列された片側発光の警告照明形態しか提供することができない従来の問題を解決する警告灯用光学部材を提供することを目的としている。
【課題を解決するための手段】
【０００６】
本願の請求項１の考案は、光基準面を有する警告灯用光学部材であって、
前記警告灯用光学部材の総体を前記光基準面に沿って二分してなる、互いに獨立する２つの光学半部材を有し、
前記２つの光学半部材は、それぞれ１つのベースを有し、
各前記ベースの片側に、前記光基準面に相応する貼合面が形成され、
各前記ベースの貼合面の近傍における前記光基準面に沿った一端に光入射部が形成され、該ベースにおける光入射部に対向の他端に光出射部が形成され、
前記２つの光学半部材が、それぞれの貼合面が互いに貼り合わせられるように組み合わせられることにより、前記警告灯用光学部材が構成されることを特徴とする警告灯用光学部材、を提供する。
【０００７】
本願の請求項２の考案は、前記２つの光学半部材における片方の光学半部材におけるベースに、第１接合部が形成され、
前記２つの光学半部材におけるもう一方の光学半部材におけるベースに、前記第１接合部に対応する第２接合部が形成され、
前記第１接合部及び第２接合部は、互いに対応する凹入状及び凸出状を呈することを特徴とする請求項１に記載の警告灯用光学部材、を提供する。
【０００８】
本願の請求項３の考案は、各前記光学半部材におけるベースは、１つの直線に沿って連続的に配置される複数の半部材ユニットを有し、
各前記半部材ユニットは、前記光入射部から前記光出射部へ行くほど大径となる半円錐体に形成されると共に、小径端部と、大径端部とを有し、
前記光入射部における前記半部材ユニットの小径端部に対応する箇所に、半円形の光入射凹入部が形成され、
互いに隣接する２つの半部材ユニットは、それぞれの大径端部で互いに結合され、
前記光出射部における前記半部材ユニットの大径端部に対応する箇所に、光出射面が形成されることを特徴とする請求項１または請求項２に記載の警告灯用光学部材、を提供する。
【０００９】
本願の請求項４の考案は、前記２つの光学半部材は、共に光入射方向へ湾曲する弧形を呈することを特徴とする請求項１または請求項２に記載の警告灯用光学部材、を提供する。
【００１０】
本願の請求項５の考案は、前記２つの光学半部材は、共に光出射方向へ湾曲する弧形を呈することを特徴とする請求項１または請求項２に記載の警告灯用光学部材、を提供する。
【００１１】
本願の請求項６の考案は、前記２つの光学半部材は、光入射部及び光出射部が対応的に起伏するように配置されるウェーブ状を呈することを特徴とする請求項１または請求項２に記載の警告灯用光学部材、を提供する。
【００１２】
本願の請求項７の考案は、前記２つの光学半部材のベースの複数の光出射部は、連続的に配置されると共に、弧形に凸出する形状を呈することを特徴とする請求項６に記載の警告灯用光学部材、を提供する。
【００１３】
本願の請求項８の考案は、前記２つの光学半部材のベースは、共に環状を呈し、
前記光出射部は、該環状のベースの外側に配置され、
前記光入射部は、該環状のベースの内側に連続的に配置されると共に、弧形に凸出する形状を呈することを特徴とする請求項１または請求項２に記載の警告灯用光学部材、を提供する。
【００１４】
本願の請求項９の考案は、前記ベースは、外側環状プレート部と、前記外側環状プレート部の内側に形成される斜面環状プレート部とを有し、
前記斜面環状プレート部における前記貼合面の対向側に円錐環状面が形成され、
前記斜面環状プレート部における内側に小径縁部が形成され、
前記斜面環状プレート部における前記外側環状プレート部に隣接する外側に大径縁部が形成され、
前記外側環状プレート部が光出射部とされると共に、前記斜面環状プレート部の小径縁部が光入射部とされ、
前記ベースの光出射部における前記貼合面に隣接する箇所に環状半凸縁部が形成されることを特徴とする請求項８に記載の警告灯用光学部材、を提供する。
【００１５】
本願の請求項１０の考案は、前記２つの光学半部材は、そのベースの外側環状プレート部における前記貼合面の対向端側に形成される複数の側面結合柱及び複数の側面結合穴を有することを特徴とする請求項９に記載の警告灯用光学部材、を提供する。
【考案の効果】
【００１６】
本考案は上記の課題を解決するものであり、本考案に係る警告灯用光学部材は、その総体が光基準面に沿って互いに独立する２つの光学半部材に二分されるものであり、形状が単純化された該２つの光学半部材を、金型を用いて各自に成形させることが、品質管理の向上に寄与するのみならず、それぞれの金型に対する設計上の制限が減少し、多様な形状及び構造により、需要とされる警告照明の形態に対応し得るようになることに資することができる。
【００１７】
また、前記光基準面に沿って互いに独立する２つの光学半部材からなる構成によれば、本考案に係る光学部材を用いる警告灯から発する光が光出射部の中央線を通して出射されるので、均一の発光効果を得ることができる。
【図面の簡単な説明】
【００１８】
【図１】本考案に係る警告灯用光学部材の第１実施例の分解斜視図である。
【図２】図１に示された本考案に係る警告灯用光学部材の第１実施例の組立状態を示す斜視図である。
【図３】本考案に係る警告灯用光学部材の第２実施例の分解斜視図である。
【図４】本考案に係る警告灯用光学部材の第３実施例の分解斜視図である。
【図５】図４に示された本考案に係る警告灯用光学部材の第３実施例の組立状態を示す断面図である。
【図６】図４に示された本考案に係る警告灯用光学部材の第３実施例における警告灯に適用された組立状態を示す断面図である。
【図７】図６の断面７−７を示す断面図である。
【図８】図４に示された本考案の第３実施例に係る光学部材が対になって警告灯に適用された組立状態を示す断面である。
【考案を実施するための形態】
【００１９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２０】
図１、図３及び図４に記載の複数の実施例で示したように、本考案に係る警告灯用光学部材１は、互いに独立する２つの光学半部材１０Ａ、１０Ｂとを有する。前記互いに独立する２つの光学半部材１０Ａ、１０Ｂは、前記警告灯用光学部材１の総体を、１つの光基準面Ｐに沿って二分してなることにより、それぞれ成形された互いに独立すると共に、特定の形状を有する２つの部品である。前記光基準面Ｐは、警告灯の発光ダイオードモジュールにおける複数の発光ダイオードの光出射中心に基づく仮想平面である。
【００２１】
図１、図３及び図４に示すように、前記２つの光学半部材１０Ａ、１０Ｂは、光透過性を有する材料からなる互いに独立する部品である。前記光透過性を有する材料は、ガラス、ポリメタクリル酸メチル樹脂（Ｐｏｌｙｍｅｔｈｙｌｍｅｔｈａｃｒｙｌａｔｅ、ＰＭＭＡ、普通「アクリル樹脂」と称する）などの材料であってもよい。前記ベース１１は、一体化成形され、１つの直線に沿って連続的に配置される複数の半部材ユニット１１１を有し、また、該ベース１１の貼合面１１２の近傍における前記光基準面Ｐに沿った一端に光入射部１２が形成されると共に、該ベース１１における光入射部１２に対向の他端に光出射部１３が形成される。前記２つの光学半部材１０Ａ、１０Ｂにおける片方の光学半部材１０Ａにおけるベース１１に、第１接合部１４が形成されると共に、前記２つの光学半部材１０Ａ、１０Ｂにおけるもう一方の光学半部材１０Ｂにおけるベース１１に、前記第１接合部１４に対応する第２接合部１５が形成される。前記第１接合部１４及び第２接合部１５は、互いに対応する凹入状及び凸出状を呈する。前記２つの光学半部材１０Ａ、１０Ｂが、それぞれの貼合面１１２が互いに貼り合わせられるように、前記互いに対応する第１接合部１４及び第２接合部１５で組み合わせられることにより、前記警告灯用光学部材１が構成される。
【００２２】
図１及び図２に示すように、本考案に係る警告灯用光学部材の第１実施例は、２つの光学半部材１０Ａ、１０Ｂを有する。各前記２つの光学半部材１０Ａ、１０Ｂのベース１１は、１つの直線に沿って連続的に配置される複数の半部材ユニット１１１を有する。各前記半部材ユニット１１１は、前記光入射部１２から前記光出射部１３へ行くほど大径となる半円錐体に形成されると共に、小径端部と、大径端部とを有する。前記光入射部１２における前記半部材ユニット１１１の小径端部に対応する箇所に、半円形の光入射凹入部１２１が形成される。この光入射凹入部１２１の内側に、四分の一球状を呈するレンズ部１２２が形成される。互いに隣接する２つの半部材ユニット１１１は、それぞれの大径端部で互いに結合される。前記光出射部１３における前記半部材ユニット１１１の大径端部に対応する箇所に、それぞれ平面状または曲面状の光出射面１３１が形成される。前記２つの光学半部材１０Ａ、１０Ｂにおける片方の光学半部材１０Ａにおけるベース１１に、凸出状を呈する第１接合部１４が形成されると共に、前記２つの光学半部材１０Ａ、１０Ｂにおけるもう一方の光学半部材１０Ｂにおけるベース１１に、前記第１接合部１４に対応する凹入状を呈する第２接合部１５が形成される。前記２つの光学半部材１０Ａ、１０Ｂの貼合面１１２を互いに貼り合わせ、前記第１接合部１４及び第２接合部１５を結合させることにより、２つの光学半部材１０Ａ、１０Ｂを組み合わせることができる。
【００２３】
本考案に係る警告灯用光学部材１における２つの光学半部材１０Ａ、１０Ｂが共に光入射方向へ湾曲したり、光出射方向へ湾曲たりする弧形を呈してもよい。図３に示すように、本考案に係る警告灯用光学部材の第２実施例における２つの光学半部材１０Ａ、１０Ｂは、光入射部１２及び光出射部１３が対応的に起伏するように配置されるウェーブ状を呈する。また、前記２つの光学半部材１０Ａ、１０Ｂのベース１１の複数の光出射部１３は、連続的に配置されると共に、弧形に凸出する形状を呈するものである。
【００２４】
図４及び図５に示すように、本考案に係る警告灯用光学部材の第２実施例は、２つの光学半部材１０Ａ、１０Ｂのベース１１が共に環状を呈する例である。本実施例における２つの光学半部材１０Ａ、１０Ｂのベース１１は、共に環状を呈する。その光出射部１３は、該環状のベース１１の外側に配置される。該環状のベース１１の内側にその光入射部１２が連続的に配置されると共に、光入射部１２の内部に、間隔をおいて配置される複数の弧形の光入射凹入部１２１が形成される。また、前記ベース１１の光出射部１３における前記貼合面１１２に隣接する箇所に環状半凸縁部１３３が形成される。前記ベース１１は、外側環状プレート部１１３と、前記外側環状プレート部１１３の内側に形成される斜面環状プレート部１１４とを有する。前記斜面環状プレート部１１４における前記貼合面１１２の対向側に円錐環状面が形成されると共に、前記斜面環状プレート部１１４における内側に小径縁部が形成される。前記斜面環状プレート部１１４における前記外側環状プレート部１１３に隣接する外側に大径縁部が形成される。また、前記外側環状プレート部１１３が光出射部１３とされると共に、前記斜面環状プレート部１１４の小径縁部が光入射部１２とされる。
【００２５】
図４、図５及び図６に示すように、本考案の第３実施例に係る環状を呈する警告灯用光学部材１における２つの光学半部材１０Ａ、１０Ｂは、さらにそのベース１１の外側環状プレート部１１３における貼合面１１２の対向端側に形成される複数の側面結合柱１６及び複数の側面結合穴１７を有する。前記側面結合柱１６及び側面結合穴１７と、警告灯ケーシング２とを結合させることができる。また、図８に示すように、ベース１１の端側の側面結合柱１６及び側面結合穴１７を用い、平行に配置される複数の警告灯用光学部材１を互いに結合させることができる。
【００２６】
さらに図４ないし図７に示すように、図４に記載の本考案に係る環状を呈する警告灯用光学部材１を警告灯に適用された組立状態において、２つの光学半部材１０Ａ、１０Ｂは結合され、ケーシング２に収容される前記警告灯用光学部材１を成す。前記警告灯用光学部材１の光出射部１３は環状を呈すると共に、前記ケーシング２の外側に位置する。該ケーシング２の内部に、複数の発光ダイオード３０を有する発光ダイオードモジュール３が配置される。該発光ダイオードモジュール３は前記警告灯用光学部材１の内部に位置し、該発光ダイオードモジュール３における各前記発光ダイオード３０は、それぞれ前記警告灯用光学部材１の２つの光学半部材１０Ａ、１０Ｂの内側位置する光入射部１２に対応する。上述した構成によれば、環状の警告灯を提供することができる。また、図６及び図７に示すように、前記発光ダイオード３０に通電し点灯させると、各前記発光ダイオード３０が発する光が、それぞれ前記２つの光学半部材１０Ａ、１０Ｂの光入射凹入部１２１へ入射し、２つの光学半部材１０Ａ、１０Ｂのベース１１を通過する時に、光散乱が行われるので、該ベース１１の外側に位置する光出射部１３から、光線が射出されることから、環状警告照明効果を提供することができる。
【００２７】
本考案は上記の構成を有するので、弧形、ウェーブ状、環形などの幾何学的な形状の警告照明形態を提供することから、多様な警告照明効果に対応することができる。
【符号の説明】
【００２８】
Ｐ      光基準面
１      警告灯用光学部材
１０Ａ  光学半部材
１０Ｂ  光学半部材
１１    ベース
１１１  半部材ユニット
１１２  貼合面
１１３  外側環状プレート部
１１４  斜面環状プレート部
１２１  光入射凹入部
１２２  レンズ部
１２    光入射部
１３１  光出射面
１３３  環状半凸縁部
１３    光出射部
１４    第１接合部
１５    第２接合部
１６    側面結合柱
１７    側面結合穴
２      警告灯ケーシング
３０    発光ダイオード
３      発光ダイオードモジュール
【図１】
0003188558.tif 000003
【図２】
0003188558.tif 000004
【図３】
0003188558.tif 000005
【図４】
0003188558.tif 000006
【図５】
0003188558.tif 000007
【図６】
0003188558.tif 000008
【図７】
0003188558.tif 000009
【図８】
0003188558.tif 000010